(57)【特許請求の範囲】
【請求項１】
多列チェーンの幅方向に配置されたピンが上記チェーンの延在方向に等間隔をおいて複数本配置され、各々の上記ピンに、上記多列の内リンクユニットに跨る長さ寸法を有する円筒状のブシュが相対的に摺動自在に外装されるとともに、
スプロケットが挿入可能な間隔をおいて対向配置されて内リンクユニットの一部を構成する一対の内プレートが上記幅方向に複数対配置され、各々隣接する２本の上記ブシュが挿通されて当該ブシュに固定されるとともに、上記列間において上記延在方向に隣接する上記内プレートが中間プレートによって連結され、かつ上記ピンの上記幅方向の両端部に上記中間プレートと対向する外プレートが配置されて当該ピンに固定されるとともに、上記内プレートと上記外プレートとの間に、上記ピンを囲繞するシールリングが介装されていることを特徴とする多列チェーン。
【請求項２】
上記多列は２列であり、かつ上記複数列は２列であるとともに、上記内プレート間に位置するブシュの外周には、円筒状のローラが相対的に摺動自在に外装されていることを特徴とする請求項１に記載の多列チェーン。
【発明の詳細な説明】
【技術分野】
【０００１】
本発明は、多列スプロケット装置に歯合して動力を伝達するための多列チェーンに関するものである。
【背景技術】
【０００２】
一般に、各種の産業用機械や運輸用機械等においては、動力源となるエンジン等からの大きな回転トルクを後段の機器類に伝達するために、当該エンジン等の出力軸に一体的に連結された多列スプロケット装置と、上記機器類側の入力軸に連結された多列スプロケット装置の各々のスプロケット間に掛け渡される多列チェーンが用いられている。
【０００３】
図４および図５は、従来のこの種の２列チェーンを示すもので、図中符号２０が内リンクユニットである。この内リンクユニット２０は、平行に配置された一対のブシュ２１の外周にローラ２２が回動自在に外装されるとともに、ブシュ２１の両端部に内プレート２３が固定されて一体化されたものである。
【０００４】
そして、この２列チェーンにおいては、内リンクユニット２０が、チェーンの延在方向に１列のチェーンを形成するべく複数配置されるとともに、これがチェーンの幅方向に互いの内プレート２３を対向させて２列配置されている。また、上記２列間には、上記延在方向に隣接する内リンクユニット２０の内プレート２３同士を連結する中間プレート２４が配置され、各列の外側には、中間プレート２４と同様に上記延在方向に隣接する内リンクユニット２０の内プレート２３同士を連結するための外プレート２５が配置されている。
【０００５】
さらに、これら２列に配された内リンクユニット２０の内プレート２３およびブシュ２１並びに列間の中間プレート２４内には、上記チェーンの幅方向にピン２６がすきまばめにて挿通されている。そして、ピン２６の両端部が外プレート２５にしまりばめおよびカシメによって固定されることにより、この２列チェーンが一体化されている。
【０００６】
上記構成からなる２列チェーンは、各チェーン列のローラ２２間に、上記スプロケットの歯が歯合されることにより、当該スプロケット間に掛け渡されて使用に供される。
なお、下記特許文献１にも、同様の多列チェーンの構成が開示されている。
【先行技術文献】
【特許文献】
【０００７】
【特許文献１】特開２００８−２８６２８９号公報
【発明の概要】
【発明が解決しようとする課題】
【０００８】
ところで、上記構成からなる多列チェーンにおいては、スプロケット間を走行する際に、スプロケットからローラ２２を介して内リンクユニット２０に作用する引張荷重が、ピン２６を介して内リンクユニット２０同士を連結する外プレート２５に伝達されるために、ピン２６の外周面とブシュ２１の内周面との間に、相対的な摺動による磨耗が生じることになる。
【０００９】
このため、通常、組み立て時にピン２６の外周面とブシュ２１の内周面との間にグリースを注入しているが、このグリースは、使用期間中に、徐々にブシュ２１の両端部から内プレート２３と外プレート２５との間および内プレート２３と中間プレート２４との間を介して外部へ飛散してしまう。
【００１０】
また、特に洗浄機等の産業用機械においては、ピン２６の外周面とブシュ２１の内周面との間に微小異物が混入して上記磨耗を促進させるおそれもある。
【００１１】
そこで、これらの欠点を解消するべく、従来から図６示すように、ピン２６の外周面とブシュ２１の内周面との間を完全に封じるために、ブシュ２１の両端部において、内プレート２３と外プレート２５との間にピン２６を囲繞するシールリング２７を介装するとともに、内プレート２３と中間プレート２４との間にも同様にピン２６を囲繞するシールリング２８を介装する要請がある。
【００１２】
ところが、上記シールリング２８を介装すると、必然的に横ピッチＰ１が図４に示した２列チェーンにおける横ピッチＰ０よりも大きくなり、この結果、図４に示した２列チェーンにおいて用いていた標準仕様（JIS規格品）のスプロケットを用いることが出来なくなってしまう。このため、上記スプロケットを上記ピッチＰ１に合致した特注品とする必要があり、コストの高騰化を招いてしまうという問題点が生じていた。また、既存設備における一般チェーンからシールチェーンへの変更は、寸法による物理的制約により不可能なケースも少なからずあった。
【００１３】
また、多数のシールリング２７、２８を設ける必要があるために、部品点数も増加して、部品管理や組み立て作業にも手間を要するという問題点もあった。さらに、この種の２列チェーンにあっては、各列に作用する引張力の変動によって生じる曲げ力やねじり力に対して、幅方向に貫通するピン２６のみによって抗しているために、機械的強度に劣るという問題点もあった。
【００１４】
本発明は、上記事情に鑑みてなされたものであり、従来の２列チェーンにおける横ピッチを変化させることなくピンの外周面とブシュの内周面との間を両端部側から封じることができるとともに、曲げやねじれに対する機械的強度も向上させることができる多列チェーンを提供することを課題とするものである。
【課題を解決するための手段】
【００１５】
上記課題を解決するため、請求項１に記載の本発明に係る多列チェーンは、多列チェーンの幅方向に配置されたピンが上記チェーンの延在方向に等間隔をおいて複数本配置され、各々の上記ピンに、上記多列の内リンクユニットに跨る長さ寸法を有する円筒状のブシュが相対的に摺動自在に外装されるとともに、スプロケットが挿入可能な間隔をおいて対向配置されて内リンクユニットの一部を構成する一対の内プレートが上記幅方向に複数対配置され、各々隣接する２本の上記ブシュが挿通されて当該ブシュに固定されるとともに、上記列間において上記延在方向に隣接する上記内プレートが中間プレートによって連結され、かつ上記ピンの上記幅方向の両端部に上記中間プレートと対向する外プレートが配置されて当該ピンに固定されるとともに、上記内プレートと上記外プレートとの間に、上記ピンを囲繞するシールリングが介装されていることを特徴とするものである。
【００１６】
また、請求項２に記載の発明は、請求項１に記載の発明において、上記多列が２列であり、かつ上記複数列が２列であるとともに、上記内プレート間に位置するブシュの外周には、円筒状のローラが相対的に摺動自在に外装されていることを特徴とするものである。
【発明の効果】
【００１７】
請求項１または２に記載の発明によれば、ピンの外周に摺動自在に外装されるブシュを、複数列のチェーンに跨る長さ寸法に形成するとともに、内プレートと外プレートとの間に、上記ピンを囲繞するシールリングを介装しているために、部品点数を増加させることなく複数列にわたってピンの外周面とブシュの内周面との間を封じることができる。
【００１８】
この結果、従来の多列チェーンと同じ横ピッチＰに設定することができ、よって従来と同様に標準規格のスプロケットを用いることができる。または、既設のスプロケットを交換することなく、そのまま使用することが可能になる。
加えて、ブシュを複数列のチェーンに跨る長さ寸法に形成しているために、ピンとの協働により、曲げ力やねじり力に対して、より高い機械的強度を得ることができる。
【図面の簡単な説明】
【００１９】
【図１】本発明の一実施形態を示す要部を断面視した正面図である。
【図２】図１の側面図である。
【図３】図１のＡ部の拡大図である。
【図４】従来の２列チェーンを示す要部を断面視した正面図である。
【図５】図４の側面図である。
【図６】従来の他の２列チェーンを示す要部を断面視した正面図である。
【発明を実施するための形態】
【００２０】
図１〜図３は、本発明に係る多列チェーンを２列チェーンに適用した一実施形態を示すものである。
図１〜図３において、符号１はピンである。このピン１は、長さ寸法が２列チェーンの幅寸法に形成されたもので、当該２列チェーンの延在方向に当間隔をおいてチェーンの長さ寸法に対応する本数が配置されている。
【００２１】
そして、このピン１の外周には、２列の内リンクユニット２ａ、２ｂの長さ寸法を有する円筒状のブシュ３がピン１の外周面に相対的に摺動自在に外装されている。さらに、上記延在方向に隣接する２本のブシュ３は、スプロケットが挿入可能な間隔をおいて対向配置された２組の内プレート４、５によって連結されている。ちなみに、これら１対の内プレート４および内プレート５は、各々１列目の内リンクユニット２ａおよび２列目の内リンクユニット２ｂを構成する部材で、上記延在方向に間隔をおいて穿設された２つの貫通孔に、各々ブシュ３がしまりばめによって挿入されることにより当該ブシュ３に固定されている。
【００２２】
また、内プレート４間および内プレート５間に位置するブシュ３の外周には、円筒状のローラ６が相対的に摺動自在に外装されている。また、２列の内リンクユニット２ａ、２ｂ間には、チェーンの延在方向に隣接する内プレート４同士を連結するための中間プレート７と、隣接する内プレート５同士を連結するための中間プレート８とが配置されている。
【００２３】
そして、中間プレート７、８に間隔をおいて穿設された２つの貫通孔に、隣接する内プレート４、５に挿通されているブシュ３がすきまばめにて挿通されている。さらに、ピン１の両端部には、中間プレート７、８と対向するようにして外プレート９が配置され、各外プレート９に穿設された貫通孔にピン１がしまりばめによって挿通されてカシメにより外プレート９に固定されている。
【００２４】
ここで、ピン１の外周面とブシュ３の内周面との間には、組み立て時にグリースが注入されており、内プレート４、５と外プレート９との間には、ピン１の外周を囲繞するシールリング１０が介装されている。
【００２５】
上記構成からなる２列チェーンによれば、ピン１の外周に摺動自在に外装されるブシュ３を、２列の内リンクユニット２ａ、２ｂの幅方向の寸法に形成するとともに、内プレート４、５と外プレート９との間に、ピン１の外周を囲繞するシールリング１０を介装しているために、部品点数を増加させること無く、幅方向の全長にわたってピン１の外周面とブシュ３の内周面との間を封じることができる。
【００２６】
これにより、図４に示した従来の多列チェーンと同じ横ピッチＰ０に設定することができ、よって従来と同様に標準規格のスプロケットを用いることができる。
しかも、ブシュ３を２列の内リンクユニット２ａ、２ｂに跨る長さ寸法に形成しているために、ピン１との協働により、曲げ力やねじり力に対して、より高い機械的強度を得ることができる。
【００２７】
なお、上記実施形態においては、本発明に係る多列チェーンを、内リンクユニット２ａ、２ｂが並列的に一体化された２列チェーンに適用した場合に付いて説明したが、本発明はこれに限定されるものではなく、３段以上の多列チェーンにも同様に適用することができる。
【００２８】
また、本実施形態においては、ブシュ３の外周にローラ６を設けたローラチェーンに適用した場合に付いて示したが、上記ローラを備えていないブシュチェーンにも同様に適用することが可能である。
【符号の説明】
【００２９】
１  ピン
２ａ、２ｂ  チェーン
３  ブシュ
４、５  内プレート
７、８  中間プレート
９  外プレート
１０  シールリング
【要約】
【課題】横ピッチを変化させることなくピンの外周面とブシュの内周面との間を両端部側から封じることができるとともに、曲げやねじれに対する機械的強度も向上させることができる多列チェーンを提供する。
【解決手段】多列チェーンの幅方向に配置されたピン１に、複数列の内リンクユニット２ａ、２ｂに跨る長さ寸法を有する円筒状のブシュ３が相対的に摺動自在に外装されるとともに、ピン１の上記幅方向の両端部に、複数列の内リンクユニット２ａ、２ｂ間において内プレート４、５を連結する中間プレート７、８と対向する外プレート９が配置されてピン１に固定されるとともに、内プレート４、５と外プレート９との間に、上記ピン１を囲繞するシールリング１０が介装されている。
【選択図】図１【図１】
0005975140.tif 000002
【図２】
0005975140.tif 000003
【図３】
0005975140.tif 000004
【図４】
0005975140.tif 000005
【図５】
0005975140.tif 000006
【図６】
0005975140.tif 000007